(57)【要約】【課題】  本発明は独立した光源を含むバックライトモジュールを提供することを目的とする。【解決手段】  独立した光源を含むバックライトモジュールが提供される。バックライトモジュールは、光発生装置、光伝達装置、光混合装置及び平面光発生装置を含む。光発生装置は、一つ以上の発光部を含む。光伝達装置は、光発生装置によって放射された光を受け、かつ伝達するために採用される。光混合装置は、混合した線形光を発生するように、光伝達装置によって放射された光を混合するために採用される。平面光発生装置は、平面光を発生するように、混合した線形光を受けるための光分配部を含む。【選択図】  図１ｂ
2006024561.tif 000002
【特許請求の範囲】
【請求項１】
少なくとも一つの光分配部を含む平面光発生装置と、
前記平面光発生装置に結合された光混合装置と、
光を提供するための光発生装置と、
前記光混合装置と前記光発生装置との間に結合された少なくとも一つの光伝達装置と、
を含む独立した光源を有するバックライトモジュールであって、前記光は前記光伝達装置により前記光混合装置に伝達され、混合された線形光を発生するように前記光混合装置によって混合され、該混合された線形光は、平面光を発生するように、前記平面光発生装置の前記光分配部によって分配されることを特徴とする独立した光源を有するバックライトモジュール。
【請求項２】
前記光発生装置は、少なくとも一つの発光部を含むことを特徴とする請求項１に記載のバックライトモジュール。
【請求項３】
前記発光部は点光源を構成することを特徴とする請求項２に記載のバックライトモジュール。
【請求項４】
前記発発生装置は白色光を提供することを特徴とする請求項１に記載のバックライトモジュール。
【請求項５】
前記白色光は、白色光発光部によって提供されるか、又は複数色の光の発光部から放射される前記光を混合することによって提供されることを特徴とする請求項４に記載のバックライトモジュール。
【請求項６】
前記光発生装置は、赤色光、緑色光及び青色光を提供することを特徴とする請求項１に記載のバックライトモジュール。
【請求項７】
前記光伝達装置は、
前記赤色光を受けて、かつ、前記赤色光を前記光混合装置に伝達するための第一の光伝達装置と、
前記緑色光を受けて、かつ、前記緑色光を前記光混合装置に伝達するための第二の光伝達装置と、
前記青色光を受けて、かつ、前記青色光を前記光混合装置に伝達するための第三の光伝達装置と、
を含むことを特徴とする請求項６に記載のバックライトモジュール。
【請求項８】
前記第一の光伝達装置は光ファイバー又は光パイプを含み、前記第二の光伝達装置は光ファイバー又は光パイプを含み、前記第三の光伝達装置は光ファイバー又は光パイプを含むことを特徴とする請求項７に記載のバックライトモジュール。
【請求項９】
前記光混合装置は、複数の第一の光分配部を含むことを特徴とする請求項１に記載のバックライトモジュール。
【請求項１０】
前記バックライトモジュールは複数の光伝達装置を含み、前記光混合装置の前記第一の光分配部の数は、前記光伝達装置の数と実質的に等しいことを特徴とする請求項９に記載のバックライトモジュール。
【請求項１１】
前記光分配部は夫々第一溝を含むことを特徴とする請求項９に記載のバックライトモジュール。
【請求項１２】
前記第一溝は、Ｖ字型溝、Ｕ字型溝、又は波状溝を含むことを特徴とする請求項１１に記載のバックライトモジュール。
【請求項１３】
前記第一の光分配部は窪んだ円錐溝を含むことを特徴とする請求項９に記載のバックライトモジュール。
【請求項１４】
前記光混合装置の側面は、印刷によって形成されたパターンを含むことを特徴とする請求項１に記載のバックライトモジュール。
【請求項１５】
前記平面光発生装置は、第二の光分配部を含むことを特徴とする請求項１１に記載のバックライトモジュール。
【請求項１６】
前記第二の光分配部は第二溝を含むことを特徴とする請求項１５に記載のバックライトモジュール。
【請求項１７】
前記第二溝は、Ｖ字型溝、Ｕ字型溝、又は波状溝を含むことを特徴とする請求項１６に記載のバックライトモジュール。
【請求項１８】
前記光混合装置の前記第一の光分配部の拡張方向と前記平面光発生装置の前記第二の光分配部の拡張方向は異なることを特徴とする請求項１５に記載のバックライトモジュール。
【請求項１９】
前記光混合装置は前記平面光発生装置を保持し、前記光混合装置を保持する位置は前記第二の光分配部の下であることを特徴とする請求項１５に記載のバックライトモジュール。
【請求項２０】
前記平面光発生装置の周囲はさらに、前記混合した光の伝播方向を制限するための反射層を含むことを特徴とする請求項１に記載のバックライトモジュール。
【請求項２１】
前記光分配部上に位置する反射層をさらに含むことを特徴とする請求項１に記載のバックライトモジュール。
【請求項２２】
前記反射層は、金属層、鏡面、又は表面処理によって形成された反射物質を含むことを特徴とする請求項２１に記載のバックライトモジュール。
【請求項２３】
前記光混合装置の周囲に配置された反射層をさらに含むことを特徴とする請求項１に記載のバックライトモジュール。
【請求項２４】
前記反射層は、金属層、鏡面、又は表面処理によって形成された反射物質を含むことを特徴とする請求項２３に記載のバックライトモジュール。
【請求項２５】
前記光混合装置の物質は、アクリル樹脂、シクロオレフィン共重合体（ＣＯＣ）、ポリメタクリル酸メチル（ＰＭＭＡ）、ポリカーボネート（ＰＣ）、ポリエーテルイミド、フルオロカーボンポリマー、又はシリコンを含むことを特徴とする請求項１に記載のバックライトモジュール。
【請求項２６】
前記平面光発生装置の物質は、アクリル樹脂、シクロオレフィン共重合体（ＣＯＣ）、ポリメタクリル酸メチル（ＰＭＭＡ）、ポリカーボネート（ＰＣ）、ポリエーテルイミド、フルオロカーボンポリマー、又はシリコンを含むことを特徴とする請求項１に記載のバックライトモジュール。
【請求項２７】
光混合モジュールと、
光を提供するための光発生装置と、
光混合装置と前記光発生装置との間に結合された光伝達装置と、
を含む独立した光源を有するバックライトモジュールであって、前記光混合モジュールは、光分配部を含む平面光発生装置と前記平面光発生装置に結合された前記光混合装置とを含み、前記光は前記光伝達装置によって前記光混合装置に伝達され、混合された線形光を発生するように混合され、該混合された線形光は、平面光を発生するように、前記平面光発生装置の前記光分配部によって混合されることを特徴とする独立した光源を有するバックライトモジュール。
【発明の詳細な説明】
【技術分野】
【０００１】
本発明はバックライトモジュールに関する。より詳細には、本発明は独立した光源を含むバックライトモジュールに関する。
【背景技術】
【０００２】
液晶ディスプレイ（ＬＣＤ）などの従来のフラットパネルディスプレイ装置は、非自己発光ディスプレイである。したがって、従来のＬＣＤは平面又は線形光を提供するために光源として機能する装置を必要とし、この装置は通常、バックライトモジュールと呼ばれる。一般的に、バックライトモジュールは、ダイレクトタイプとサイドエッジタイプの２タイプに分類される。例えば、従来のダイレクトタイプのバックライトモジュールは、例陰極管などのランプ管、拡散シート及びプリズムシートを含む。しかしながら、ＬＣＤに均一な平面光を提供するために、ランプ管の間の距離及びランプ管と拡散シート／プリズムシートとの間の距離は、光の不均一な分配を回避するために精確に制御されるべきである。加えて、バックライトモジュールの厚さの最小化は、ランプ管と拡散シートとの間の距離によって制限される。
【０００３】
サイドエッジタイプのバックライトモジュールで、ランプ管からの光は、光を広げるように光ガイドプレートに導入される。したがって、バックライトモジュールの厚さは、さらに最小化できる。しかしながら、サイドエッジタイプのバックライトモジュールから放射された平面光の分配は、いまだに不均一である。さらに、サイドエッジタイプのバックライトモジュールのサイズを拡大することはいまだに困難である。加えて、上述した２つの従来のバックライトモジュールの構成部は複雑である。したがって、従来のバックライトモジュールの厚さの最小化は解決されるべき問題である。
【０００４】
さらに、２タイプの従来のバックライトモジュールは、操作において大量の熱を発生する。しかしながら、ＬＣＤの通常操作はわずかな安定した温度範囲を必要とする。したがって、従来のバックライトモジュールの熱損失は解決されるべき問題である。
【０００５】
したがって、上述した問題を解決するためのＬＣＤの白色バックライト装置が開示されており、この装置で、光を混合する光ファイバーは、赤色、緑色及び青色光を白色光に混合するために提供され、次いで、白色光は光ディスパーサ（ｌｉｇｈｔ  ｄｉｓｐｅｒｓｅｒ）を使用することによって光ガイドプレートのサイドエッジに導入され、白色光は光ガイドプレートによってＬＣＤに投射される。しかしながら、さらに、現行のバックライトモジュールの操作は従来のサイドエッジ型のバックライトモジュールに分類され、したがって、バックライトモジュールのサイズを拡大することは困難である。
【特許文献１】米国特許第６，６５５，８２５号
【発明の開示】
【発明が解決しようとする課題】
【０００６】
したがって、本発明は独立した光源を含むバックライトモジュールを提供する。バックライトモジュールは独立した光発生装置を有し、光伝達装置を使用することによって、光はバックライトモジュールに伝達される。異色光伝達装置からの色の光は、バックライトモジュールの光混合装置を使用することによって、線形光に混合されてよく、線形光は平面光発生装置を介して平面光に変換されてよい。したがって、本発明のバックライトモジュールの厚さとサイズは、従来のバックライトモジュールよりも薄く大型であり、バックライトモジュールのヒートシンク（ｈｅａｔ  ｓｉｎｋｉｎｇ）問題は解決される。
【課題を解決するための手段】
【０００７】
本発明の一つの実施態様によると、独立した光源を含むバックライトモジュールが提供される。バックライトモジュールは、例えば、平面光発生装置と、光混合装置と、光発生装置と、光伝達装置とを含む。平面光発生装置は、光分配部を含んでよい。光混合装置は、平面光発生装置に結合されてよく、光分配部に対応して位置してよい。光発生装置は光を提供するために採用されてよい。光伝達装置は光混合装置と光発生装置との間に結合されてよく、光伝達装置によって光は光混合装置に伝達され、かつ、混合した線形光を発生するために混合されて、混合した線形光は、平面光を生じるように平面光発生装置によって混合される。
【０００８】
本発明の一つの実施態様によると、独立した光源を含むバックライトモジュールが提供される。例えば、バックライトモジュールは、光発生装置及び光伝達装置を含む。例えば、光混合モジュールは、平面光発生装置と、光混合装置とを含む。平面光発生装置は、光分配部を含む。光混合装置は、平面光発生装置に結合されて、光分配部に対応して位置してよい。光発生装置は、光を提供するために採用されてよい。光伝達装置は光混合装置と光発生装置との間に結合されてよく、光は光伝達装置によって、光混合装置に伝達され、かつ、混合した線形光を発生するように混合されて、混合した線形光は、平面光を発生するように平面光発生装置によって混合される。
【０００９】
本発明の上述及び他の特徴並びに利点の一部又はすべては、本発明を実行するための最良の形態の簡素な例示である、本発明の一つの実施態様が示されて記載される、下記の記載から当業者にとって容易に明らかとなる。本発明の異なる実施態様が可能であることが認識されるように、本発明の範囲を逸脱せずに様々な修正が可能である。したがって、添付図及び記載は、限定するものでなく、単に、例示しているとみなされる。
【００１０】
本発明のさらなる理解を提供するように添付図が含まれ、本明細書に組み込まれて、本明細書の一部を構成する。添付図は、記載と共に本発明の実施態様を例示し、本発明の原理を説明する。
【発明を実施するための最良の形態】
【００１１】
以下、本発明は、本発明の実施態様が示される添付図を参照して、より完全に記載される。しかしながら、本発明は、多数の異なる形態で具体化されてよく、先に記載した実施態様に限定されるように解釈されるべきでない。むしろ、本開示が全体にわたって完全となり、当業者に本発明の範囲を完全に伝えるように、それらの実施態様が提供される。本明細書の全体にわたって、同じ参照番号は同じ要素を示す。
【００１２】
図１ａ、１ｂ及び１ｃを参照するに、本発明の一つの実施態様による独立した光源を含むバックライトモジュールの構成部が例示され、図１ａは、例えば、光発生装置１０と、光伝達装置１２１、１２２及び１２３と、光混合装置１３とを含む光発生装置並びに光混合装置を概略する断面図である。光発生装置１０は、例えば、限定しないが、赤色、緑色及び青色光をそれぞれ発生するための発光部１０１、１０２及び１０３を含んでよい。本発明の一つの実施態様において、光発生装置１０は、バックライトモジュールから独立して配置され、したがって、光発生装置の発光部１０１、１０２及び１０３のヒートシンクは、バックライトモジュールとは独立して実行されてよい。加えて、発光部１０１、１０２及び１０３によって生じた熱は、ＬＣＤの通常操作を影響しない。加えて、発光部１０１、１０２及び１０３によって放射された光は集光されて、光伝達装置１２１、１２２及び１２３によってそれぞれ伝達される。例えば、光混合装置１３は、光の混合効率を増大するように、光伝達装置１２１、１２２及び１２３から反射された光を、光混合装置１３に反射するため底部の反射層１３０を含んでよい。光伝達装置１２１、１２２及び１２３は、光混合装置１３に光を放射するための光混合装置１３の側面１３ａに対して結合されてよい。光混合装置１３は、光伝達装置１２１、１２２及び１２３からの光を混合した線形光に混合するために採用されてよい。
【００１３】
図１ｂは、光混合装置１３及び平面光発生装置１４を概略した断面図を例示する。平面光発生装置１４の底部は、放射効率を増大するように、平面光発生装置１４の底部に放射された光を反射するための反射層１４１を含んでよい。平面光発生装置１４の上部は、平面光を発生するように、混合した線形光を受けるための光分配部１５を含んでよい。本発明の一つの実施態様において、例えば、光混合装置１３は平面光発生装置１４に保持され、光混合装置１３を保持する位置は、光分配部１５の下であってよい。
【００１４】
図１ｃを参照するに、光分配部１５の構造は溝を含んでよく、溝の形状はＶ字型溝、Ｕ字型溝若しくは波状溝、又は光を反射するために設けられてよい他の形状を含んでよい。図１ｃに示されるように、光分配部１５は、Ｖ字型溝として例示される。光混合装置１３からの光が光分配部１５に伝播する場合、溝の他の側が空気などの密度の低い媒体を含むために、光は特定の角度で全内部反射されてよい。例えば、Ｖ字型溝に対する光の入射角がθである場合、光を混合するプレートの物質の臨界角はθｃであり、光はθ＜２ｘ（９０−θｃ）として全内部反射されてよい。溝がＵ字型溝又は波状である場合も同様に、光は全内部反射されて、特定角度で分散される。本発明の別の実施態様において、光分配効果を増大するように、反射層１５１はさらに、光分配部１５上に位置されてよい。
【００１５】
図２ａ及び２ｂは、本発明の別の実施態様による独立した光のバックライトモジュールの構成部を例示し、図２ａは、例えば、光発生装置１０、光伝達装置１２１、１２２及び１２３、並びに光混合装置２３を含む光発生装置と光混合装置を概略する断面図を例示する。光発生装置１０は、下記に限定しないが、例えば、赤色光、緑色光及び青色光をそれぞれ発生するための光放射部１０１、１０２及び１０３を含んでよい。光放射部１０１、１０２及び１０３によって発生された光は集光されて、光伝達装置１２１、１２２及び１２３にそれぞれ伝達される。光混合装置２３は、光を混合する効率を増大するように、光混合装置２３に光を反射するための底部に反射層２３０を含む。光伝達装置１２１、１２２及び１２３は、光混合装置２３の底面２３ａに結合されてよい。光混合装置２３は、混合した線形光を発生するように、光伝達装置１２１、１２２及び１２３から放射された光を混合するために設けられてよい。光混合装置は、光分配部２３１、２３２及び２３３などの複数の光分配部を含んでよい。本発明の一つの実施態様において、光分配部の量は、光伝達装置の量と実質的に等しい。光分配部２３１、２３２及び２３３の構造は溝を含んでよく、溝の形状はＶ字型溝、Ｕ字型溝若しくは波状溝、又は光を反射するために設けられる他の形状であってよい。図２ｂに示されるように、光分配部１５は、Ｖ字型溝のように例示され、光混合装置２３から光分配部１５に入射する光は、上述した同じ原理により、特定角度で全内部反射されてよい。光発生装置１０からの光が光分配部１５に伝播するので、光は、光分配部１５を介して光混合装置２３の両側に分散されてよい。したがって、光発生装置１０からの光は均一に混合されてよい。本発明の一つの実施態様において、図２ａ及びｂの上部から見て、光分配部２３１、２３２及び２３３のＶ字型溝及び光分配部１５のＶ字型溝は、互いに平行ではない。本発明の別の実施態様において、光発生装置１０によって発生された混合した平面光の均一性は分散装置２３１、２３２及び２３３のＶ字型溝として良好であり、光分配部１５は互いに垂直である。
【００１６】
図２ｂは、光混合装置２３と平面光発生装置１４を概略する断面図である。平面光発生装置１４の底部は、発光効率を増大するように、平面光発生装置１４の底部に放射された光を反射するための反射層１４１を含む。平面光発生装置１４の上部は、平面光を発生するように、混合された線形光を受けるための光分配部１５を含んでよい。本発明の一つの実施態様において、光分配部１５の構造は溝を含み、溝の形状は、Ｖ字型溝、Ｕ字型溝若しくは波状溝、又は光を反射するために設けられる他の形状であってよい。図２ｂを参照するに、Ｖ字型溝が例示される。本発明の別の実施態様において、光分配効果を増大するように、反射層１５１はさらに、光分配部１５上に配置されてよい。
【００１７】
さらに、本発明の一つの実施態様において、光混合装置２３は、例えば、平面光発生装置１４に保持されてよく、光混合装置１３を保持する位置は、例えば、光分配部１５下であってよい。
【００１８】
図３ａ、３ｂ及び３ｃは、本発明のさらに別の実施態様による独立した光源を含むバックライトモジュールの構成部を例示し、図３ａは、例えば、光発生装置３０と、光伝達装置３２と、光混合装置３３とを含む光発生装置及び光混合装置を概略する断面図を例示する。光発生装置３０は、白色光の発生のために採用されてよく、例えば、白色光は白色発光部から放射された光、又は、複数色の発光部からの混合された白色光によって構成されてよい。光伝達装置３２は、光発生装置３０から放射された白色光を受けて、かつ伝達するために採用されてよい。光混合装置３３は、光を混合する効率を増大するために、光混合装置３３に光を反射するための底部に反射層３３０を含んでよい。光伝達装置３２は、光混合装置３３の底面３３ａに結合されてよい。光混合装置３３は、混合した線形光を発生するように、光伝達装置３２から放射された光を混合するために設けられてよい。光混合装置３３は、光分配部３３１を含んでよい。光分配部３３１の構造は、窪んだ円錐状の溝若しくは溝、又は光を反射するために設けられる別の形状を含んでよい。図３ｂに示されるように、光分配部１５は窪んだ円錐状の溝として例示される。光発生装置３０からの光が光分配部１５に伝播するにつれて、光は光分配部１５を介して光混合装置３３の両側に分散される。したがって、光発生装置３０からの光は均一に混合される。
【００１９】
図３ｃは光混合装置３３及び平面光発生装置１４を概略する断面図であり、平面光発生装置１４の底部は、発光効率を増大するように、平面光発生装置１４に光を反射するための反射層１４１を含む。平面光発生装置１４の上部は、混合した線形光を受け、かつ平面光を発生するための光分配部１５を含んでよい。光分配部１５の構造は溝を含み、溝の形状はＶ字型溝、Ｕ字型溝若しくは波状の溝、又は光を反射するために設けられる別の形状を含んでよい。図３ｃに示されるように、光分配部１５は窪んだ円錐状の溝として例示される。本発明の別の実施態様において、さらに、反射層１５１は、光分配効率を増大するように、光分配部１５上に配置されてよい。
【００２０】
さらに、光混合装置３３の側面は、例えば、印刷方法によって形成されるパターンを含んでよい。パターンは、反射及び／又は屈折を相互に介して、光発生装置によって発生される光を事前に混合するために設けられる。
【００２１】
本発明の一つの実施態様において、光発生装置１０、３０は、例えば、発光ダイオード（ＬＥＤ）、蛍光ランプ、白熱灯若しくはハロゲンランプ又は他の種類の光を含む。光発生装置１０又は３０は、一つ以上の発光部を含む。例えば、発光部は単色光を提供する。発光部は、例えば、それぞれ異なる色の光を提供する。光伝達装置は、均一な光を発生するために周期的に配置されるか、又は群で配置される。本発明の一つの実施態様において、光伝達装置は、例えば、光ファイバー材又は光パイプを含んでよい。
【００２２】
本発明の一つの実施態様において、反射層の物質は、金属層、鏡面、又は光を反射するための他の物質を含む。加えて、反射層は、光を反射するための表面処理方法によって形成されてよい。光混合装置の物質は、例えば、アクリル樹脂、シクロオレフィン共重合体（ＣＯＣ）、ポリメタクリル酸メチル（ＰＭＭＡ）、ポリカーボネート（ＰＣ）、ポリエーテルイミド、フルオロカーボンポリマー、シリコン、若しくはそれらの混合物、又は光を反射するための他の物質を含んでよい。平面光発生装置又は光を混合するプレートの物質は、光混合装置と同様であるか、同じであってよい。本発明の一つの実施態様において、独立した光を含むバックライトモジュールは、大型のフラットパネルディスプレイ（ＦＰＤ）に採用されて、独立した光を含む複数のバックライトモジュールは、大型のフラットパネルディスプレイにアレイ状に配置されてよい。
【００２３】
本発明の実施態様の前述の記載は、例示及び記載の目的で提供されている。本発明を正確な形態又は開示された典型的な実施態様に完全にするか、限定することは意図されない。したがって、前述の記載は、限定ではなく、むしろ例示的であるとみなされるべきである。明らかに、多数の修正及び変更が当業者にとって認識される。本発明の原理及び本発明の最良の実施形態を良好に説明するために、実施態様が選択されて記載され、それによって、当業者が様々な実施態様及び特定の使用又は熟考された実施に適する様々な修正の本発明を理解することが可能である。本発明の範囲は、請求項と、もし他の方法で示されなければ、表現がすべて請求項の最も広い合理的な意味で解釈される、請求項に等価なものとによって規定されることを意図する。請求項によって規定される本発明の範囲を逸脱せずに、当業者によって記載された実施態様の変形がなされることを認識される。さらに、本開示の要素及び部品は、要素又は部品が請求項で明示的に詳述されるかどうかにかかわらず、一般公開するように意図されない。
【図面の簡単な説明】
【００２４】
【図１ａ】本発明の実施態様と一致する光発生装置及び光混合装置を概略する断面図を示す。
【図１ｂ】本発明の実施態様と一致する光混合装置及び平面光発生装置を概略する断面図を示す。
【図１ｃ】本発明の実施態様と一致する平面光分配部の断面図を示す。
【図２ａ】本発明の別の実施態様と一致する光発生装置及び光混合装置を概略する断面図を示す。
【図２ｂ】本発明の別の実施態様と一致する光混合装置及び平面光発生装置を概略する断面図を示す。
【図３ａ】本発明のさらに別の実施態様と一致する光発生装置及び光混合装置を概略する断面図を示す。
【図３ｂ】本発明の実施態様と一致する光混合装置の光分配部の構造を概略する断面図を示す。
【図３ｃ】本発明の実施態様と一致する光混合装置及び平面光発生装置を概略する断面図を示す。
【符号の説明】
【００２５】
１０    光発生装置
１３    光混合装置
１３ａ  光混合装置１３の側面
１４    平面光発生装置
１５    光分配部
２３    光混合装置
２３ａ  光混合装置２３の底面
３０    光発生装置
３２    光伝達装置
３３    光混合装置
３３ａ  光混合装置３３の底面
１０１  光発生装置の発光部
１０２  光発生装置の発光部
１０３  光発生装置の発光部
１２１  光伝達装置
１２２  光伝達装置
１２３  光伝達装置
１３０  反射層
１４１  反射層
１５１  反射層
２３０  反射層
２３１  光分配部
２３２  光分配部
２３３  光分配部
３３０  反射層
３３１  光分配部
【図１ａ】
2006024561.tif 000003
【図１ｂ】
2006024561.tif 000004
【図１ｃ】
2006024561.tif 000005
【図２ａ】
2006024561.tif 000006
【図２ｂ】
2006024561.tif 000007
【図３ａ】
2006024561.tif 000008
【図３ｂ】
2006024561.tif 000009
【図３ｃ】
2006024561.tif 000010